(57)【特許請求の範囲】
【請求項１】
外扉前面に設けられ、複数の商品見本を展示するとともに商品の情報または広告を示すポスターパネルを展示する展示空間と、
前記展示空間の前面を覆い、前記商品見本および前記ポスターパネルを視認可能に形成された電照板と、
前記商品見本、前記ポスターパネル、前記電照板を照らす照明手段とを備えた自動販売機において、
前記照明手段として複数の商品見本、ポスターパネル、電照板をそれぞれ個別に照明する発光ダイオードを備えたことを特徴とする自動販売機。
【請求項２】
庫内に多段に設置された商品収納ラックに収納された商品と当該商品の搬出動作とを目視可能に形成され、当該庫内を照らす照明手段を備えた自動販売機において、
前記照明手段として発光ダイオードを用い、前記商品収納ラックに収納された商品を照らす発光ダイオードは当該商品収納ラックに収納された目視可能な商品を個別に照明するように配設してなることを特徴とする自動販売機。
【請求項３】
照明手段は、少なくとも、赤色を発光する赤色発光ダイオード素子と、
緑色を発光する緑色発光ダイオード素子と、
青色を発光する青色発光ダイオード素子と、
を備えたことを特徴とする請求項１または請求項２に記載の自動販売機。
【発明の詳細な説明】
【０００１】
【発明の属する技術分野】
この発明は、自動販売機に関し、さらに詳しくは、任意の商品見本やポスターパネル等を強調して照明できる等、照明したい箇所を柔軟かつ効果的に照明できるとともに、自動販売機の薄型化にも寄与できる自動販売機に関する。
【０００２】
【従来の技術】
図１６は、従来の自動販売機を示す正面図である。同図に示すように、自動販売機の外扉１の前面部には、商品見本３を展示するとともに、販売商品の広告等を示すポスターパネル４を展示する展示空間２が形成されている。この展示空間２の前面には、商品見本３とポスターパネル４とを視認できるように電照板５が設けられている。
【０００３】
この電照板５の一部には、販売商品の広告・ロゴマーク等を示すロゴ表示部５ａが印刷等により表示されている。また、電照板５の前面には、商品選択用の押ボタン７が各商品見本３に対応するように設けられている。なお、外扉１には、商品取出口８のほか、図示しない硬貨投入口や紙幣挿入口、釣銭返却口・返却レバー等が設けられている。
【０００４】
展示空間２には、商品見本３やポスターパネル４、ロゴ表示部５ａを照明する蛍光灯２０が配設されている。このように商品見本３等を蛍光灯２０によって照明することで、商品情報や広告をアピールし、集客力を高めようとしている。
【０００５】
【発明が解決しようとする課題】
しかしながら、従来の自動販売機は、線光源または面光源としての単色の蛍光灯（蛍光管）２０によって商品見本３等を照明しているので、これら全体を均一に照明することには適しているものの、売れ筋商品やお勧め商品、新発売商品というように、特定の商品見本３等のみを強調するために、色彩や明るさを変えて照明することは不得手であり、アピール性に欠けるという課題があった。
【０００６】
また、蛍光灯２０の光は発散するので、自動販売機の設置場所によっては、周囲を必要以上に明るく照らしてしまい、景観を損ねたり、虫が電照板５に集まってしまうという課題もあった。
【０００７】
また、蛍光灯２０自体の外径が大きいため照明装置が大型化し、外扉１の厚みが増え、自動販売機の奥行き寸法が大きくなってしまうという課題があった。
【０００８】
さらに、蛍光灯２０は発光効率が悪く発熱量も大きいため、蛍光灯２０の周囲の部材を難燃性部材にて形成し、放熱スペースを確保した構造にする必要があるなど、設計の自由度が制約されるとともに、外扉１の厚みが増え、自動販売機の奥行き寸法が大きくなってしまうという課題もあった。
【０００９】
この発明は、上記に鑑みてなされたものであって、任意の商品見本やポスターパネル等を強調して照明できる等、照明したい箇所を柔軟かつ効果的に照明できるとともに、自動販売機の薄型化にも寄与できる自動販売機を提供することを目的とする。
【００１０】
【課題を解決するための手段】
上述の目的を達成するために、この発明の請求項１にかかる自動販売機は、外扉前面に設けられ、複数の商品見本を展示するとともに商品の情報または広告を示すポスターパネルを展示する展示空間と、前記展示空間の前面を覆い、前記商品見本および前記ポスターパネルを視認可能に形成された電照板と、前記商品見本、前記ポスターパネル、前記電照板を照らす照明手段とを備えた自動販売機において、前記照明手段として複数の商品見本、ポスターパネル、電照板をそれぞれ個別に照明する発光ダイオードを備えたことを特徴とする。
【００１１】
照明を強調したい商品見本、ポスターパネル等を発光ダイオードにより照らし、その光量や発光タイミング（点灯、半点灯、点滅等）等を、あらかじめ設定されたプログラムに基づいて制御する。
【００１２】
これにより、種々の色彩（複数色の発光ダイオードを用いた場合）、照度、発光タイミングにて任意の照明を柔軟かつ効果的に演出でき、たとえば、売れ筋商品やお勧め商品、新発売商品等を強調して購買意欲をそそるディスプレイ効果を演出できる。
【００１３】
また、発光ダイオードの寸法がきわめて小さく、また発熱量も小さいので、蛍光灯を備えた従来の自動販売機のように広い設置スペースや放熱スペースを必要とせず、自動販売機の薄型化にも寄与できる。
【００１４】
さらに、発光ダイオードは、消費電力が小さいため省エネルギー化にも寄与でき、また素子の寿命も長く、光源交換等につきメンテナンスフリーを期待できる。
【００１５】
また、この発明の請求項２にかかる自動販売機は、庫内に多段に設置された商品収納ラックに収納された商品と当該商品の搬出動作とを目視可能に形成され、当該庫内を照らす照明手段を備えた自動販売機において、前記照明手段として発光ダイオードを用い、前記商品収納ラックに収納された商品を照らす発光ダイオードは当該商品収納ラックに収納された目視可能な商品を個別に照明するように配設してなることを特徴とする。
【００１６】
発光ダイオードは発熱量が少ないため、冷蔵商品を収納する庫内にも設けることができ、庫内の天井面や商品収納ラックの適宜位置に設けることにより、庫内の商品を直接照らすことができ、購買意欲をそそるディスプレイ効果を演出できる。
【００１７】
また、この発明の請求項３にかかる自動販売機は、照明手段は、少なくとも、赤色を発光する赤色発光ダイオード素子と、緑色を発光する緑色発光ダイオード素子と、青色を発光する青色発光ダイオード素子とを備えたものである。
【００１８】
前記各色の発光ダイオード素子を任意に組み合わせて点灯することにより、種々の色彩の光を照射でき、演出の幅が広がり、さらに集客力を高めることができる。
【００１９】
【発明の実施の形態】
以下、この発明にかかる自動販売機の実施の形態につき図面を参照しつつ詳細に説明する。なお、この実施の形態によりこの発明が限定されるものではない。
【００２０】
実施の形態１．
図１は、この発明の実施の形態１にかかる自動販売機の要部を示す側断面図、図２は、自動販売機を示す正面図である。なお、以下の説明において、すでに説明した部材と同一もしくは相当する部材には、同一の符号を付して重複説明を省略または簡略化する。
【００２１】
外扉１の展示空間２は、天井部２ａ、背板部２ｂ、底部２ｃおよび電照板５によって区画形成されている。商品見本３は、たとえば３段に形成された展示台９上に設けられている。電照板５前面の各商品見本３に対応する位置には、押ボタン７が、電照板５裏面に配された取付金７ａによって固定されている。ポスターパネル４は、底部２ｃに傾斜させて立設されている。
【００２２】
発光ダイオード素子（以下、ＬＥＤ素子と記す）６は、商品見本３、ポスターパネル４および電照板５のロゴ表示部（図示せず）を上方から照明するために、天井部２ａや展示台９の下部に設けられたものであり、少なくとも３原色（赤色、緑色、青色）を適宜数配してなり、任意の色彩を演出して照明できるように構成されている。
【００２３】
また、使用するＬＥＤ素子６の特性に応じて、その取付位置や照射角度は調整されており、たとえば、ＬＥＤ素子６の指向角が小さい場合には照射対象との距離あけ、指向角が大きい場合には照射対象との距離を狭めて配置すればよい。
【００２４】
電照板５やロゴ表示部が着色され、白色光によっても十分に演出可能な場合には、白色のＬＥＤ素子６によって照明してもよく、照明対象の条件によって適宜の色に決定すればよい。
【００２５】
また、ＬＥＤ素子６として、たとえば発光スペクトルのピーク波長が３８０ｎｍ程度のものを設けることにより、電照板５への虫除けの効果を期待できる。なお、ＬＥＤ素子６やその他の必須構成機器は、図示しない公知のドライバ手段や制御装置によって動作するように構成されている。
【００２６】
つぎに制御動作について説明する。照明を強調したい商品見本３、ポスターパネル４等に対応する各ＬＥＤ素子６の光量や発光タイミング（点灯、半点灯、点滅等）等を、あらかじめ設定されたプログラムに基づいて制御する。すなわち、種々の色彩、照度、発光タイミングにて任意の照明を柔軟かつ効果的に演出し、たとえば、売れ筋商品やお勧め商品、新発売商品等を強調して購買意欲をそそるディスプレイ効果を演出する。
【００２７】
以上のように、この実施の形態１にかかる自動販売機によれば、制御の容易なＬＥＤ素子６を備えたことにより、種々の色彩、照度、発光タイミングにて任意の照明を柔軟かつ効果的に演出でき、たとえば、売れ筋商品やお勧め商品、新発売商品等を強調して購買意欲をそそるディスプレイ効果を演出できる。
【００２８】
また、ＬＥＤ素子６の寸法がきわめて小さく、また発熱量も小さいので、蛍光灯２０を備えた従来の自動販売機のように広い設置スペースや放熱スペースを必要とせず、自動販売機の薄型化にも寄与できる。
【００２９】
さらに、ＬＥＤ素子６は、消費電力が小さいため省エネルギー化にも寄与でき、また素子の寿命も長く、光源交換等につきメンテナンスフリーを期待できる。
【００３０】
実施の形態２．
図３は、この発明の実施の形態２にかかる自動販売機の要部を示す側断面図である。本実施の形態２は、ＬＥＤ素子６を押ボタン７背後の取付金７ａに設け、商品見本３およびポスターパネル４を下方から照射できるように構成したものである。その他の基本構成および基本制御動作は、上記実施の形態１の場合と同様であるので、重複説明を省略する。
【００３１】
以上のように、この実施の形態２にかかる自動販売機によれば、商品見本３およびポスターパネル４をＬＥＤ素子６により下方から照射することにより、商品見本３等を立体的に浮かび上がらせて展示でき、購買意欲をそそるディスプレイ効果を演出できる。
【００３２】
また、ＬＥＤ素子６を押ボタン７背後の取付金７ａに設けることにより、当該ＬＥＤ素子６の発色の種類によってコールド商品とホット商品の表示の区別を容易に行え、季節に応じた当該表示の切り換えは、発色パターン制御をソフトウェアで変更すればよく、容易に行うことができる。すなわち、コールド商品では寒色系の色で照射し、ホット商品では暖色系の色で照射すれば、表示の区別を容易に行うことができる。
【００３３】
実施の形態３．
図４は、この発明の実施の形態３にかかる自動販売機の要部を示す側断面図である。本実施の形態３は、商品見本３を、半透明樹脂等によって有底筒状に形成したディスプレイ缶３ａによって形成し、かつ、ＬＥＤ素子６をこのディスプレイ缶３ａの内部および背後に設けたものである。その他の基本構成および基本制御動作は、上記実施の形態１の場合と同様であるので、重複説明を省略する。
【００３４】
以上のように、この実施の形態３にかかる自動販売機によれば、商品見本３を内側から光らせて強調でき、購買意欲をそそるディスプレイ効果を演出できる。
【００３５】
実施の形態４．
図５は、この発明の実施の形態４にかかる自動販売機の要部を示す側断面図である。本実施の形態４は、商品見本３を、商品デザインが表示され半透明樹脂板等によって形成されたディスプレイシート３ｂによって簡易に構成し、かつ、ＬＥＤ素子６をこのディスプレイシート３ｂの上方と下方および背後に設けたものである。その他の基本構成および基本制御動作は、上記実施の形態１の場合と同様であるので、重複説明を省略する。
【００３６】
以上のように、この実施の形態４にかかる自動販売機によれば、商品見本３をディスプレイシート３ｂによって簡易に構成したものであっても、上下および背後からのＬＥＤ素子６の照射具合を調節することにより、平面状の商品見本３を立体的に浮かび上がらせて展示でき、購買意欲をそそるディスプレイ効果を演出できる。
【００３７】
実施の形態５．
図６は、この発明の実施の形態５にかかる自動販売機の要部を示す側断面図である。本実施の形態５は、商品見本３を、商品デザインが表示され半透明樹脂板等によって形成された面発光体３ｃによって構成し、かつ、ＬＥＤ素子６をこの面発光体３ｃの上下端部に設け、面発光できるように構成したものである。その他の基本構成および基本制御動作は、上記実施の形態１の場合と同様であるので、重複説明を省略する。
【００３８】
以上のように、この実施の形態５にかかる自動販売機によれば、商品見本３を面発光体３ｃとして形成し、直接光を放てるように構成したので、上下のＬＥＤ素子６からの照射具合を調節することにより、平面状の商品見本３を立体的に浮かび上がらせて展示でき、購買意欲をそそるディスプレイ効果を演出できる。
【００３９】
実施の形態６．
図７は、この発明の実施の形態６にかかる自動販売機の要部を示す側断面図である。本実施の形態６は、商品見本３を、商品デザインが表示され半透明樹脂板等によって形成された面発光体１１と、この面発光体１１が立体的となるように支持する枠体１０とから構成し、かつ、この面発光体１１の下方からＬＥＤ素子６により照射して面発光できるように構成したものである。その他の基本構成および基本制御動作は、上記実施の形態１の場合と同様であるので、重複説明を省略する。
【００４０】
以上のように、この実施の形態６にかかる自動販売機によれば、商品見本３を立体的に面発光できるので、商品イメージを直接的に表現することができ、購買意欲をそそるディスプレイ効果を演出できる。
【００４１】
実施の形態７．
図８は、この発明の実施の形態７にかかる自動販売機の要部を示す正面図、図９は、自動販売機の要部を示す側断面図、図１０は、自動販売機の要部を示す平面図である。本実施の形態７は、商品見本３を、商品デザインが表示され半透明樹脂板等からなるディスプレイシート３ｂによって半円筒形に形成し、その両側端部を背板部２ｂに差し込んで構成したものであり、かつ、ＬＥＤ素子６を展示台９上の商品見本３の内外に配置したものである。その他の基本構成および基本制御動作は、上記実施の形態１の場合と同様であるので、重複説明を省略する。
【００４２】
以上のように、この実施の形態７にかかる自動販売機によれば、商品見本３を立体的に構成するための枠体を省略でき、簡易な構成にて購買意欲をそそるディスプレイ効果を演出できる。
【００４３】
実施の形態８．
図１１は、この発明の実施の形態８にかかる自動販売機の要部を示す側断面図である。本実施の形態８は、ポスターパネル４をＬＥＤ素子６によって背後から照明するように構成したものである。その他の基本構成および基本制御動作は、上記実施の形態１の場合と同様であるので、重複説明を省略する。
【００４４】
以上のように、この実施の形態８にかかる自動販売機によれば、ポスターパネル４が背後からの透過光によって浮かび上がり、購買意欲をそそるディスプレイ効果を演出できる。
【００４５】
実施の形態９．
図１２は、この発明の実施の形態９にかかる自動販売機の要部を示す側断面図である。本実施の形態９は、所定の文字や図形等を切り抜いて形成した切り抜きパネル４ａを電照板５の背後に設け、この切り抜きパネル４ａの背後からＬＥＤ素子６によって照射するように構成したものである。その他の基本構成および基本制御動作は、上記実施の形態１の場合と同様であるので、重複説明を省略する。
【００４６】
以上のように、この実施の形態９にかかる自動販売機によれば、電照板５には、背後の切り抜きパネル４ａからの透過光によって影絵のように文字や図形等が表示され、購買意欲をそそるディスプレイ効果を演出できる。
【００４７】
実施の形態１０．
図１３は、この発明の実施の形態１０にかかる自動販売機の要部を示す側断面図である。本実施の形態１０は、ＬＥＤ素子６からの光を反射材４ｂを介してポスターパネル４に間接照射するように構成したものである。その他の基本構成および基本制御動作は、上記実施の形態１の場合と同様であるので、重複説明を省略する。
【００４８】
以上のように、この実施の形態１０にかかる自動販売機によれば、間接光によって照らされたポスターパネル４を展示でき、この柔らかい光によって購買意欲をそそるディスプレイ効果を演出できる。
【００４９】
実施の形態１１．
図１４は、この発明の実施の形態１１にかかる自動販売機の要部を示す側断面図である。本実施の形態１１は、上記実施の形態１０の構成における反射材４ｂとポスターパネル４との間の光路中に、所定の文字や図形等を切り抜いて形成した切り抜き材４ｃを介在させることによって、ＬＥＤ素子６からの影絵状の間接光をポスターパネル４に照射するように構成したものである。その他の基本構成および基本制御動作は、上記実施の形態１の場合と同様であるので、重複説明を省略する。
【００５０】
以上のように、この実施の形態１１にかかる自動販売機によれば、影絵状の間接光によって照らされたポスターパネル４を展示でき、この影絵状の柔らかい光によってさらに繊細な演出ができ、購買意欲をそそるディスプレイ効果を演出できる。
【００５１】
実施の形態１２．
図１５は、この発明の実施の形態１２にかかる自動販売機を示す正面図である。本実施の形態１２は、外扉１にガラス窓部１ａを備え、庫内の商品収納ラック１２に収納された商品１３や商品搬出機構（図示せず）による商品搬出動作を目視できるように構成された自動販売機にＬＥＤ素子６による照明手段を適用したものである。
【００５２】
すなわち、ＬＥＤ素子６は発熱量が少ないため、冷蔵商品を収納する庫内にも設けることができ、庫内の天井面や商品収納ラック１２の適宜位置に設けることにより、庫内の商品１３を直接照らすことができる。その他の基本制御動作は、上記実施の形態１の場合と同様であるので、重複説明を省略する。
【００５３】
以上のように、この実施の形態１２にかかる自動販売機によれば、庫内の商品１３を直接照らすことができ、購買意欲をそそるディスプレイ効果を演出できる。
【００５４】
なお、上記実施の形態１２では、ＬＥＤ素子６を庫内の天井面や商品収納ラック１２に設けるものとして説明したが、これに限定されず、庫外等のその他の場所に設けてもよい。
【００５５】
【発明の効果】
以上説明したように、この発明にかかる自動販売機（請求項１）によれば、外扉前面に設けられ、商品見本を展示するとともに商品の情報または広告を示すポスターパネルを展示する展示空間と、前記展示空間の前面を覆い、前記商品見本および前記ポスターパネルとを視認可能に形成された電照板と、前記商品見本、前記ポスターパネル、前記電照板のうちの少なくとも一つを照らす照明手段とを備えた自動販売機において、前記照明手段として発光ダイオードを用いたので、種々の色彩（複数色の発光ダイオードを用いた場合）、照度、発光タイミングにて任意の照明を柔軟かつ効果的に演出でき、たとえば、売れ筋商品やお勧め商品、新発売商品等を強調して購買意欲をそそるディスプレイ効果を演出できる。
【００５６】
また、発光ダイオードの寸法がきわめて小さく、また発熱量も小さいので、蛍光灯を備えた従来の自動販売機のように広い設置スペースや放熱スペースを必要とせず、自動販売機の薄型化にも寄与できる。
【００５７】
さらに、発光ダイオードは、消費電力が小さいため省エネルギー化にも寄与でき、また素子の寿命も長く、光源交換等につきメンテナンスフリーを期待できる。
【００５８】
また、この発明にかかる自動販売機（請求項２）によれば、庫内の商品収納ラックに収納された商品と当該商品の搬出動作とを目視可能に形成され、当該庫内を照らす照明手段を備えた自動販売機において、前記照明手段として発光ダイオードを用いたので、この発光ダイオードは発熱量が少なく、冷蔵商品を収納する庫内にも設けることができる。たとえば、庫内の天井面や商品収納ラックの適宜位置に設けることにより、庫内の商品を直接照らすことができ、購買意欲をそそるディスプレイ効果を演出できる。
【００５９】
また、この発明にかかる自動販売機（請求項３）によれば、照明手段は、少なくとも、赤色を発光する赤色発光ダイオード素子と、緑色を発光する緑色発光ダイオード素子と、青色を発光する青色発光ダイオード素子とを備えたので、前記各色の発光ダイオード素子を任意に組み合わせて点灯することにより、種々の色彩の光を照射でき、演出の幅が広がり、さらに集客力を高めることができる。
【図面の簡単な説明】
【図１】この発明の実施の形態１にかかる自動販売機の要部を示す側断面図である。
【図２】自動販売機を示す正面図である。
【図３】この発明の実施の形態２にかかる自動販売機の要部を示す側断面図である。
【図４】この発明の実施の形態３にかかる自動販売機の要部を示す側断面図である。
【図５】この発明の実施の形態４にかかる自動販売機の要部を示す側断面図である。
【図６】この発明の実施の形態５にかかる自動販売機の要部を示す側断面図である。
【図７】この発明の実施の形態６にかかる自動販売機の要部を示す側断面図である。
【図８】この発明の実施の形態７にかかる自動販売機の要部を示す正面図である。
【図９】自動販売機の要部を示す側断面図である。
【図１０】自動販売機の要部を示す平面図である。
【図１１】この発明の実施の形態８にかかる自動販売機の要部を示す側断面図である。
【図１２】この発明の実施の形態９にかかる自動販売機の要部を示す側断面図である。
【図１３】この発明の実施の形態１０にかかる自動販売機の要部を示す側断面図である。
【図１４】この発明の実施の形態１１にかかる自動販売機の要部を示す側断面図である。
【図１５】この発明の実施の形態１２にかかる自動販売機を示す正面図である。
【図１６】従来の自動販売機を示す正面図である。
【符号の説明】
１  外扉
１ａ  ガラス窓部
２  展示空間
２ａ  天井部
２ｂ  背板部
２ｃ  底部
３  商品見本
３ａ  ディスプレイ缶
３ｂ  ディスプレイシート
３ｃ  面発光体
４  ポスターパネル
４ａ  切り抜きパネル
４ｂ  反射材
４ｃ  切り抜き材
５  電照板
６  ＬＥＤ素子
７  押ボタン
７ａ  取付金
８  商品取出口
９  展示台
１０  枠体
１１  面発光体
１２  商品収納ラック
１３  商品
【図１】
0004415510.tif 000002
【図２】
0004415510.tif 000003
【図３】
0004415510.tif 000004
【図４】
0004415510.tif 000005
【図５】
0004415510.tif 000006
【図６】
0004415510.tif 000007
【図７】
0004415510.tif 000008
【図８】
0004415510.tif 000009
【図９】
0004415510.tif 000010
【図１０】
0004415510.tif 000011
【図１１】
0004415510.tif 000012
【図１２】
0004415510.tif 000013
【図１３】
0004415510.tif 000014
【図１４】
0004415510.tif 000015
【図１５】
0004415510.tif 000016
【図１６】
0004415510.tif 000017